(57)【要約】  本発明は、液体用の吸入装置の分野に関する。特に、本発明は、噴霧ノズルを有する吸入装置、およびそのような吸入装置によって医学的に活性な液体のエアロゾルを生成する方法に関する。吸入装置は、液体（Ｆ、Ｆ１、Ｆ２）を保存するための少なくとも１つのリザーバ（２）を内部に含むハウジング（１）と、内部で圧力を生成する少なくとも１つのポンプ室（３、３Ａ、３Ｂ）を含む少なくとも１つのポンプユニットと、上記ポンプ室（３、３Ａ、３Ｂ）内のリザーバに面する内端（５Ａ’、５Ｂ’）の少なくとも１つによって受け取られ得る少なくとも１つのライザーパイプ（５、５Ａ、５Ｂ）と、ライザーパイプ（５、５Ａ、５Ｂ）の外端（５Ａ’’、５Ｂ’’）に接続されたノズル（６）と、を備え、少なくとも１つのポンプ室（３、３Ａ、３Ｂ）の内部容積は、ライザーパイプ（５、５Ａ、５Ｂ）に対するポンプ室（３、３Ａ、３Ｂ）の相対運動によって変更可能であり、少なくとも１つのライザーパイプ（５、５Ａ、５Ｂ）はハウジング（１）またはノズル（６）にしっかりと取り付けられて不動であり、少なくとも１つのポンプ室（３、３Ａ、３Ｂ）はハウジング（１）またはノズル（６）に対して移動可能であり、ノズル（６）は、主軸線（Ｚ）と、それぞれの噴出軌道に沿って液体（Ｆ、Ｆ１、Ｆ２）を噴出するように適合された少なくとも３つの噴出チャネル（６Ａ、６Ｂ、６Ｃ、６Ｄ）とを有し、少なくとも２つの噴出軌道が互いに交差する少なくとも１つの衝突点（Ｘ、Ｘ１、Ｘ２）が提供される。【選択図】  図7
2020524541.tif 000002
【特許請求の範囲】
【請求項１】
エアロゾル生成用の医学的に活性な液体（Ｆ）の吸入装置であって、液体（Ｆ）を保存するための少なくとも１つのリザーバ（２、２Ａ、２Ｂ）を内部に含むハウジング（１）と、内部で圧力を生成する少なくとも１つのポンプ室（３、３Ａ、３Ｂ）を含み、前記ポンプ室（３、３Ａ、３Ｂ）は前記リザーバ（２、２Ａ、２Ｂ）の方向にブロックする逆止弁（４、４Ａ、４ｂ）を介して前記リザーバ（２、２Ａ、２Ｂ）に流体的に接続される、少なくとも１つのポンプユニットと、前記ポンプ室（３、３Ａ、３Ｂ）内のリザーバに面する内端（５Ａ’、５Ｂ’）の少なくとも１つによって受け取られ得る少なくとも１つのライザーパイプ（５、５Ａ、５Ｂ）と、前記ライザーパイプ（５、５Ａ、５Ｂ）の外端（５Ａ’’、５Ｂ’’）に液密に接続されたノズル（６）と、を備え、前記少なくとも１つのポンプ室（３、３Ａ、３Ｂ）の内部容積は、前記ライザーパイプ（５、５Ａ、５Ｂ）に対する前記ポンプ室（３、３Ａ、３Ｂ）の相対運動によって変更可能であり、前記少なくとも１つのライザーパイプ（５、５Ａ、５Ｂ）は前記ハウジング（１）または前記ノズル（６）にしっかりと取り付けられて不動であり、前記少なくとも１つのポンプ室（３、３Ａ、３Ｂ）は前記ハウジング（１）または前記ノズル（６）に対して移動可能であり、前記ノズル（６）は、主軸線（Ｚ）と、それぞれの噴出軌道に沿って液体（Ｆ、Ｆ１、Ｆ２）を噴出するように適合された少なくとも３つの噴出チャネル（６Ａ、６Ｂ、６Ｃ、６Ｄ）とを有し、少なくとも２つの前記噴出軌道が互いに交差する少なくとも１つの衝突点（Ｘ、Ｘ１、Ｘ２）が提供される、吸入装置。
【請求項２】
個々の前記軌道が前記ノズル（６）を出るすべての噴出角（Ａ、Ａ１、Ａ２）が同一である、請求項１に記載の吸入装置。
【請求項３】
前記噴出角（Ａ、Ａ１、Ａ２）の少なくとも１つが他の前記噴出角（Ａ、Ａ１、Ａ２）とは異なる、請求項１に記載の吸入装置。
【請求項４】
少なくとも２つ、またはすべての前記衝突点（Ｘ、Ｘ１、Ｘ２）が、前記主軸線（Ｚ）に垂直な同一平面（Ｐ）内に配置される、請求項１〜３のいずれか一項に記載の吸入装置。
【請求項５】
少なくとも２つ、またはすべての前記衝突点（Ｘ、Ｘ１、Ｘ２）が異なる平面（Ｐ１、Ｐ２）上に配置される、請求項１〜３のいずれか一項に記載の吸入装置。
【請求項６】
前記ノズル（６）の前記主軸線（Ｚ）に関して、すべての衝突点（Ｘ、Ｘ１、Ｘ２）が前記主軸線（Ｚ）上に位置する、請求項１〜５のいずれか一項に記載の吸入装置。
【請求項７】
前記ノズル（６）の前記主軸線（Ｚ）に関して、少なくとも１つの衝突点（Ｘ、Ｘ１、Ｘ２）が前記主軸線（Ｚ）からオフセットされる、請求項１〜５のいずれか一項に記載の吸入装置。
【請求項８】
前記ノズル（６）のすべての前記噴出チャネル（６Ａ、６Ｂ、６Ｃ、６Ｄ）の断面が同一である、請求項１〜７のいずれか一項に記載の吸入装置。
【請求項９】
前記ノズルの少なくとも１つの前記噴出チャネル（６Ａ、６Ｂ、６Ｃ、６Ｄ）が、別の噴出チャネル（６Ａ、６Ｂ、６Ｃ、６Ｄ）の断面とは異なる断面を有する、請求項１〜７のいずれか一項に記載の吸入装置。
【請求項１０】
前記ノズル（６）のすべての前記噴出チャネル（６Ａ、６Ｂ、６Ｃ、６Ｄ）が、同じ前記ポンプ室（３）または液体型リザーバ（２）に接続されることにより、すべての衝突点（Ｘ、Ｘ１、Ｘ２）に同じ前記液体（Ｆ）が供給され得る、請求項１〜９のいずれか一項に記載の吸入装置。
【請求項１１】
前記ノズル（６）の少なくとも２つの前記噴出チャネル（６Ａ、６Ｂ、６Ｃ、６Ｄ）が、個別の前記ポンプ室（３Ａ、３Ｂ）または液体リザーバ（２Ａ、２Ｂ）に接続されることにより、異なる液体（Ｆ１、Ｆ２）が供給され得る少なくとも１つの衝突点（Ｘ、Ｘ１、Ｘ２）が提供される、請求項１〜９のいずれか一項に記載の吸入装置。
【請求項１２】
前記ノズル（６）の少なくとも２つの前記噴出チャネル（６Ａ、６Ｂ、６Ｃ、６Ｄ）が、上流に配置された共通の混合室に接続される、請求項１〜１１のいずれか一項に記載の吸入装置。
【請求項１３】
前記ノズル（６）の少なくとも２つの前記噴出チャネル（６Ａ、６Ｂ、６Ｃ、６Ｄ）が共通の入口を共有し、噴出チャネルの対またはグループを形成するような交差する軌道を有する、請求項１〜１２のいずれか一項に記載の吸入装置。
【請求項１４】
前記ノズル（６）のすべての噴出チャネル（６Ａ、６Ｂ、６Ｃ、６Ｄ）が個別の入口を有する、請求項１〜１２のいずれか一項に記載の吸入装置。
【請求項１５】
２つの噴出チャネル（６Ａ、６Ｂ、６Ｃ、６Ｄ）が対を形成しており、第１の噴出チャネル（６Ａ、６Ｂ、６Ｃ、６Ｄ）の上流端に接続するように配置された主供給チャネル（１０、１０Ａ、１０Ｂ）と、前記主供給チャネル（１０、１０Ａ、１０Ｂ）を第２の噴出チャネル（６Ａ、６Ｂ、６Ｃ、６Ｄ）の上流端に接続する交差チャネル（１１、１１Ａ、１１Ｂ）と、をさらに含む、請求項１〜１４のいずれか一項に記載の吸入装置。
【請求項１６】
複数の対を有するノズル（６）を備え、前記対の一方の前記噴出チャネル（６Ａ、６Ｂ、６Ｃ、６Ｄ）の出口開口部は、対称軸線を形成する前記主軸線（Ｚ）に関して、前記対のもう一方の前記噴出チャネル（６Ａ、６Ｂ、６Ｃ、６Ｄ）の出口開口部に対して回転位置にあり、それぞれの前記交差チャネルは前記対称軸線に沿って互いに間隔を空けられている、請求項１５に記載の吸入装置。
【請求項１７】
前記ノズル（６）が、前面と、前記前面の反対側の背面とを有し、前記前面は、前記噴出チャネル（６Ａ、６Ｂ、６Ｃ、６Ｄ）の前記出口開口部を含み、前記背面は本質的に平坦であり、前記主供給チャネル（１０、１０Ａ、１０Ｂ）への入口を形成する複数の開口部（１２、１２Ａ、１２Ｂ）を含む、請求項１５または１６に記載の吸入装置。
【請求項１８】
前記ノズル（６）が二次元プレートの積み重ねとして構築されるか、または前記ノズル（６）が三次元回転対称の基本形状から構築される、請求項１〜１７のいずれか一項に記載の吸入装置。
【請求項１９】
前記ノズル（６）が、異なる液体（Ｆ１、Ｆ２）が供給され得る少なくとも２つの噴出チャネル（６Ａ、６Ｂ、６Ｃ、６Ｄ）を有し、前記噴出チャネル（６Ａ、６Ｂ、６Ｃ、６Ｄ）は、上流に配置された個別のポンプユニットのそれぞれの前記ポンプ室（３、３Ａ、３Ｂ）に接続される、請求項１〜１８のいずれか一項に記載の吸入装置。
【請求項２０】
前記ノズル（６）が、異なる液体（Ｆ１、Ｆ２）が供給され得る少なくとも２つの噴出チャネル（６Ａ、６Ｂ、６Ｃ、６Ｄ）を有し、前記噴出チャネル（６Ａ、６Ｂ、６Ｃ、６Ｄ）は、１つの共通のポンプユニットに統合された個別のポンプ室（３、３Ａ、３Ｂ）に接続される、請求項１〜１８のいずれか一項に記載の吸入装置。
【請求項２１】
前記ノズル（６）が、異なる液体（Ｆ１、Ｆ２）が供給される共通の混合室から供給可能な少なくとも２つの噴出チャネル（６Ａ、６Ｂ、６Ｃ、６Ｄ）を有し、前記混合室は、上流に配置された個別のポンプユニットのそれぞれのポンプ室（３、３Ａ、３Ｂ）に接続される、請求項１〜１８のいずれか一項に記載の吸入装置。
【請求項２２】
前記ノズル（６）が、異なる液体（Ｆ１、Ｆ２）が供給される共通の混合室から供給可能な少なくとも２つの噴出チャネル（６Ａ、６Ｂ、６Ｃ、６Ｄ）を有し、前記混合室は、１つの共通のポンプユニットに統合された個別のポンプ室（３、３Ａ、３Ｂ）に接続される、請求項１〜１８のいずれか一項に記載の吸入装置。
【請求項２３】
前記リザーバ（２、２Ａ、２Ｂ）が、前記ポンプ室（３、３Ａ、３Ｂ）にしっかりと取り付けられていることにより、前記ハウジング（１）内で移動可能である、請求項１〜２２のいずれか一項に記載の吸入装置。
【請求項２４】
前記リザーバ（２、２Ａ、２Ｂ）が、可撓性要素によって前記ポンプ室（３、３Ａ、３ｂ）に接続され、前記ハウジング（１）にしっかりと取り付けられている、請求項１〜２２のいずれか一項に記載の吸入装置。
【発明の詳細な説明】
【技術分野】
【０００１】
本発明は、液体用の吸入装置の分野に関する。特に、本発明は、噴霧ノズルを有する吸入装置、およびそのような吸入装置によって医学的に活性な液体のエアロゾルを生成する方法に関する。
【背景技術】
【０００２】
液体用の噴霧器または他のエアロゾル発生器は、古くから当技術分野で知られている。とりわけ、そのような装置は医学および治療に使用されている。医学および治療において、噴霧器または他のエアロゾル発生器は、エアロゾル、すなわち気体に埋め込まれた小さな液滴の形態の活性成分の用途のための吸入装置として機能する。そのような吸入装置は、例えば、欧州特許第０６２７２３０号明細書から知られている。この吸入装置の重要な構成要素は、エアロゾル化される液体が含有されるリザーバ、噴霧するのに十分高い圧力を発生させるためのポンプユニット、およびノズルの形態の霧化装置、である。ポンプユニットは、流体材料を移動もしくは圧縮でき、少なくとも１つのポンプ室を備え、随意的に本体、界面などのような補助構成要素もさらに備えているユニットまたは装置構成要素として規定される。ポンプユニットにより、液体は個別の量で、すなわち、連続的ではなく、リザーバから引き出され、ノズルに供給される。ポンプユニットは推進剤なしで作動し、機械的に圧力を発生させる。
【０００３】
そのような吸入装置の既知の実施形態は、国際公開第２０９１／１４４６８号パンフレットに提示されている。そのような装置では、ハウジングに接続されたポンプ室内の圧力は、可動中空ピストンの動きによって生成される。ピストンは、不動のポンプ室の内側に移動可能に配置されている。中空ピストンの（上流に配置された）入口は、リザーバ（リザーバパイプ部）の内部に流体的に接続されている。その（下流に配置された）先端はポンプ室に通じている。さらに、リザーバへの液体の逆流を防ぐ逆止弁がピストンの先端の内側に配置されている。
【０００４】
ピストンを充填するために、ピストンの上流端がリザーバに直接接続されている。ポンプ室のピストンを引き出すことにより、その内部容積が拡大され、その結果、ポンプ室の内部において負圧が進んで蓄積される。この圧力は、中空のピストンを介してリザーバに伝播し、リザーバからピストンに液体が吸引される。同時に、リザーバ内の圧力が（まだ空の）ポンプ室内よりも高いため、その先端で上記弁が開く。ポンプ室が満たされる。同時に、可動ピストンがその下死点に到達してポンプ室が満たされると、ばねがロードされ、動作の最後でロックされる。
【０００５】
ばねは手動でロック解除され得る。その後、蓄積されたエネルギーが突然放出される。ピストンはポンプ室の方向に再び押され、その中に押し込まれ、内部容積が減少する。前述の逆止弁はこの時点で閉じられており、液体がリザーバに逆流するのが抑制されているため、ポンプ室内で圧力が上昇する。最終的に、この圧力により、ポンプ室の下流端に配置されたノズルから液体が噴出される。
【０００６】
すでに噴出された液体または外気の逆流のリスクに直面するために、以降で出口弁と呼ばれる追加の逆止弁をノズルの直前のポンプ室の下流端に配置して、放出した液体を通過させつつ、入ってくるガスをブロックする。
【０００７】
ピストンは、コイルばねとして設計された圧力ばねの内側に配置されているため、その外径が制限されている。また、通常は小さい容積（例：１５μｌ）のため、ピストンは細い内径（およびしばしば外径）で設計されている。
【０００８】
可動ピストンのこの典型的な小さな内径（例えば、０．３〜１．０ｍｍ）は、内部に配置される小さなサイズの逆止弁とともに、記載された構造の欠点である。直径が小さいと高い流動抵抗が生じるため、特に高粘度の媒体は非常にゆっくりとピストンに流入してピストンを通過する。言い換えれば、記載された構造は、低粘度（水性）の液体およびその低用量の放出に特に適している。さらに、小さな直径で十分に漏れのない逆止弁を製造することは困難である。
【０００９】
記載された解決策の別の欠点は、一度に１種類の液体しか放出できないこと、すなわち、それぞれのリザーバの内容物に依存することである。別の液体をエアロゾル化する場合は、リザーバを交換し、吸入装置を再び使用する前に、ノズルを以前の液体の残りをきれいに洗浄する必要がある。
【００１０】
欧州特許第１７４７０３５号明細書から、上述の技術に基づくが、２つの別個のポンプ機構を介して２つの個々の噴出ノズルに接続される２つの別個のリザーバを含む吸入装置が知られている。これらのノズルは、上記２種類の液体からなる２つの個別のスプレーを形成するか、これら２種類の液体からなる単一のスプレーを形成することができる。ただし、前述の欠点は依然として当てはまる。
【先行技術文献】
【特許文献】
【００１１】
【特許文献１】欧州特許第０６２７２３０号明細書
【特許文献２】国際公開第２０９１／１４４６８号パンフレット
【特許文献３】欧州特許第１７４７０３５号明細書
【発明の概要】
【００１２】
本発明の目的は、既知の技術の欠点を回避する装置を提供することである。
【００１３】
吸入装置はまた、短時間でより高い粘度の媒体を高い再現性で噴出できるものでなければならない。特に、装置は複数の異なる液体を噴出できなければならない。
【００１４】
この目的は、請求項１に記載の吸入装置により解決される。有利な実施形態は、従属請求項、後続の説明、および添付の図面に記載されている。
【００１５】
はじめに、説明および特許請求の範囲全体で使用される用語の定義をいくつか示す。定義は、文脈が別の意味を必要としない限り、それぞれの表現の意味を決定するために使用されるべきである。
【００１６】
「吸入器」または「吸入装置」とは、吸入可能な霧、蒸気、またはスプレーを生成するように構成および適合された装置である。
【００１７】
吸入器の文脈における「霧化」および「噴霧化」とは、液体の微細で吸入可能な液滴の生成を意味する。霧化された液滴の典型的な寸法は、数ミクロンの範囲である。
【００１８】
「エアロゾル」は、気相中に固相または液相が分散している状態である。不連続相とも呼ばれる分散相は、複数の固体粒子または液体粒子で構成されている。本発明の吸入装置により生成されるエアロゾルは、典型的には空気である気相中に吸入可能な液滴の形態の液相が分散している状態である。分散液相は、液体中に分散した固体粒子を随意的に含んでもよい。
【００１９】
「液体」とは、その形状を、液体を保持する容器の形状に変えることができるが、圧力に関係なくほぼ一定の体積を保持する流体材料である。液体は、単相溶液、または、連続液相と液体であってもなくてもよい分散相との分散液を表してもよい。
【００２０】
液体は、その適用が医療目的に有用である生物学的に活性なもしくは医学的に活性な化合物または材料を表すかあるいは含む場合、「医学的に活性」である。
【００２１】
「複数」とは、２つ以上を意味する。
【００２２】
「内部」とは、内側を意味するのみならず、内側を向いていることも意味し、「外部」とは、外側を意味するのみならず、外側を向いていることも意味する。
【００２３】
「ノズル」は、液体の霧化／噴霧化に役立つユニットである。一般的に、この用語はユニット全体を意味する。しかしながら、ノズルは、個別の、同一の、または異なるサブユニットの１つまたは複数のセットを含み得る。ノズルは、液体を放出するための複数の噴出チャネルを備えていてもよい。
【００２４】
ノズルの「主軸線」は、放出されたエアロゾルの大部分がノズルを出た後に移動する方向に平行または同一直線上のノズルの中心軸線である。
【００２５】
「水平」面は、主軸線に垂直な平面である。
【００２６】
「噴出軌道」は、噴出チャネルの終端から始まる想像上の比較的直線の線である。噴出軌道は、吸入装置が作動しているときに噴出チャネルから放出される液体の最初の移動経路に似ている。ノズル（および吸入装置全体）は、例えば放出された液体が上記直線状に鋭い流れで提供され得るように、適切なチャネル形状および十分に高い圧力を用いて適合および構成されなければならないことは明らかである。
【００２７】
２つ以上の噴出軌道が交差する場合、「衝突点」が形成される。
【００２８】
「衝突角」とは、衝突点における噴出軌道と主軸線との間の角度である。「噴出角」は、９０度から、主軸線に平行でありかつ噴出軌道と交差する線と噴出軌道との間の角度（「中間角Ｉ」）を引いたものとして定義される。衝突点が主軸線上にある場合、平行線は主軸線自体であり、中間角は衝突角である。衝突点が主軸線でない場合、平行線は主軸線からオフセットされる。この「噴出オフセット」は、主軸線と、主軸線に垂直な平面で測定された衝突点との間の距離である。噴出角は、それぞれの衝突点が主軸線上にある場合、噴出軌道と、主軸線に垂直で噴出チャネルの出口開口部を主軸線に接続する線との間の角度として理解することもでき、それぞれの衝突点が主軸線上にない場合、噴出角は、噴出軌道と、主軸線に垂直で噴出チャネルの出口開口部を主軸線に平行で噴出軌道と交差する線に接続する線との間の角度として理解することもできる。
【００２９】
さらなる定義は、以降の説明で明らかにされる。
【００３０】
本発明による吸入装置は、医学的に活性な液体のエアロゾル、特に吸入可能なエアロゾルの生成に役立つ。
【００３１】
吸入装置は、好ましくは片手で快適に保持できるハウジングを含む。このハウジング内には、少なくとも１つの医学的に活性な液体を貯蔵するための少なくとも１つのリザーバと、内部で圧力を発生させる少なくとも１つのポンプ室を備えた少なくとも１つのポンプユニットとが配置され、および随意的に該ハウジングに接続されまたは接続可能とされており、少なくとも１つのポンプ室は、随意的に少なくとも１つのリザーバパイプ（またはリザーバパイプ部）によって、リザーバの方向にブロックする少なくとも１つの逆止弁を介して、少なくとも１つのリザーバと流体接続されている。したがって、少なくとも１つの逆止弁は、リザーバからポンプ室への液体の流れを可能にし、反対方向の流れをブロックする。
【００３２】
吸入装置は、リザーバに面する少なくとも１つの内端を有するとともに前記ポンプ室に収容され得る少なくとも１つのライザーパイプと、ライザーパイプの外端に直接的にまたは間接的に液密に接続されるノズル（またはノズルのセット）とをさらに備える。
【００３３】
少なくとも１つのポンプ室の内部容積は、そのそれぞれのポンプ室に各ライザーパイプが押し込まれることで体積が増加し、そのそれぞれのポンプ室から引き出されることで体積が減少するという点で、ライザーパイプに対するポンプ室の相対運動によって変更可能である。「内部容積」という用語は、各ポンプ室のリザーバに面した入口から、それぞれのライザーパイプの内端が位置する場所まで延びる容積を表す。
【００３４】
本発明の一実施形態では、各ポンプ室がハウジングに対して移動可能である一方、各ライザーパイプは固定され、直接的もしくは間接的に、および／または恒久的もしくは取り外し可能にハウジングにしっかりと取り付けられる。言い換えれば、各ライザーパイプはハウジングに対するその位置を維持し、各ポンプ室は、特に可動ポンプ室内の固定ライザーパイプのシリンダ内のピストンのタイプの動きを実行するためなど、ハウジングに対するその位置を、特にその縦軸線に沿って変更することができる。
【００３５】
別の実施形態では、各ライザーパイプの不動性は、ハウジングよりむしろノズルに主に関係している。したがって、ノズルとライザーパイプとは、可動性の観点から１つのユニットを形成する。しかし、ノズル自体がハウジングに対して不動である場合、これはライザーパイプにも当てはまり、したがって最初に説明した実施形態に到達する。
【００３６】
これらの解決策の利点は、既知の解決策と比較して、ポンプ室とリザーバとの間の通路をより少ない制限で設計できることである。例えば当技術分野で知られている中空ピストン内に収容する必要がないため、製造がより容易な、非常に大きな逆止弁を設計することが可能である。その結果、それぞれの逆止弁のサイズは、主にハウジングの内部サイズ、またはそのような構造が望まれる場合、ポンプユニットを囲むばねの内部サイズによってのみ制限される。当技術分野で知られているように、バルブ、ライザーパイプ、およびリザーバパイプの直径が（おおよそ）同一であることは時代遅れになる。さらに、それぞれのリザーバに可動ピストンを接続する必要がないため、リザーバに入る構成要素と可動構成要素（すなわち、ポンプ室）とを互いに独立して設計することができ、個々の機能をより適切に適合させることができる。これに関して、本発明は、少なくとも１つの可動ポンプ室が、その堅牢な構造および寸法により、通常は堅牢性が低いそれぞれの可動ライザーパイプよりもリザーバとの機械的に安定した接続を設計するより良い機会を提供するため、より高い設計柔軟性を提供する。また、ポンプ室とリザーバとの間の接続をより大きな直径で設計することができるので、より高い流速および流体粘度が実現可能になる。さらに、リザーバのための機械的支持体は、ポンプ室を含む構成要素に統合することができる。さらに、リザーバの圧力平衡のための通気口は、リザーバ本体自体から離れて、構築を容易にし、基本的に「開いた」リザーバ本体を提供する必要性を回避しつつ、例えばリザーバとポンプ室との間の界面を形成するコネクタに移動することができる。
【００３７】
前述の両方の実施形態において、ノズルは、主軸線と、各々の噴出軌道に沿って液体を噴出するように適合された少なくとも３つの噴出チャネルとを有し、前記噴出軌道のうちの少なくとも２つが互いに交差する少なくとも１つの衝突点が設けられる。
【００３８】
主軸線は、液体から生成されたエアロゾルが吸入装置からユーザに向けて放出される方向に平行または同一直線上にある。主軸線は、ノズル本体の回転軸でもあり得る。
【００３９】
各噴出チャネルは、それ自体の噴出軌道、すなわち、それぞれ放出された液体流がそのチャネルを離れる方向を有している。本質的に、軌道は、少なくとも最初は、または各噴出チャネルの出口開口から対応する衝突点まで、比較的直線である。出口開口部からさらに離れた（すなわち、ノズル本体の内側の）前記チャネルの部分は、前記噴出軌道とは異なる方向に追従できることは明らかである。また、勢いがますます減少し、空気抵抗と重力の影響が強くなるため、ノズル表面からさらに離れた液体が上記直線から外れることも明らかである。後者の方向は、主として、正にそれぞれの出口開口部におけるチャネルの方向によって規定される。しかし、後者の方向は、出口開口部の正確な形状、および随意的に出口開口部のすぐ後ろに配置されて放出された流体の方向を変えることができるデフレクタなどの影響も受け得る。
【００４０】
衝突点において、前記軌道のうちの少なくとも２つが交差することにより、衝突型（または衝突に基づく）エアロゾル形成が達成される。本発明によれば、少なくとも第３の噴出チャネルが存在するので、より多くの量の液体を霧化できるようにチャネルを前記衝突点に向けてもよいし、または第２の衝突点が形成されるように、第３のチャネルを、例えばバッフルなどに対して、前記衝突点から遠ざけるように向けてもよい。
【００４１】
一実施形態によれば、各噴出軌道は、少なくとも１つの他の噴出軌道と交差することが好ましい。このことは、他の噴出軌道と交差しない噴出軌道はなく、すべての噴出軌道が少なくとも１つの他の噴出軌道に衝突することを意味する。したがって、３つのチャネルの場合、すべての噴出軌道が１つの共通の衝突点で衝突する。４つのチャネルの場合、１つまたは２つの衝突点が存在する可能性がある。
【００４２】
好ましい実施形態によれば、噴霧器は、ポテンシャルエネルギーの貯蔵手段をさらに備え、装置は、ポンプ室に結合され、装填位置でロック可能であり、ロック解除すると、貯蔵されたエネルギーはポンプ室の動きに変換可能である。ばねだけでなく、ガスまたは磁力を利用する材料も、ポテンシャルエネルギーの貯蔵手段として使用できる。手段の一方の端部は、適切な場所のハウジングでまたはその中に支持されており、したがって、この端部は本質的に不動である。他方の端部はポンプ室に接続されており、したがって、この端部は本質的に可動である。
【００４３】
一実施形態によれば、逆止弁は、弁の上流側と下流側、すなわちリザーバ側とポンプ室側との間の圧力差が所定のしきい値を超えた場合にのみ開くように適合され、圧力差がしきい値を下回っているときは閉じたままである。「圧力差」とは、具体的な圧力値に関係なく、逆止弁がブロックするか開くかを決定するために、両側間の相対的な圧力差のみが関係することを意味する。
【００４４】
ポンプ装置の起動時にのみ、高いポンプ室圧力を構築することにより、圧力差（ポンプ室の高圧とリザーバの大幅な低圧とにより大きな圧力差が生じる）が十分に高くなり、圧力差のしきい値を超えるため、逆止弁が最終的に開き、圧力室がリザーバからの液体で満たされるようになる。
【００４５】
さらなる実施形態によれば、吸入装置は、ライザーパイプの内側に、ライザーパイプの外端への液体または空気の逆流を回避するための出口弁を備える。
【００４６】
別の実施形態によれば、吸入装置は、ライザーパイプとノズルとの間に、ライザーパイプの外端に向かう液体または空気の逆流を回避するための出口弁を備える。
【００４７】
必要に応じて、出口弁は、上記のようにしきい値圧力差より下でブロックする（および上で開く）タイプのものであり得る。
【００４８】
一実施形態によれば、個々の軌道がノズルを出るすべての噴出角は、主軸線に関して、および典型的には、ノズルの前面に関して（本質的に平坦で、主軸線に対して垂直である場合）同一である。したがって、すべてのチャネルが前記主軸線の周りに対称的に配置される場合、１つの共通の衝突点が提供され得る。これに関連して、主軸線の周りに対称的に配置されるとは、すべてのチャネルの出口開口部が主軸線に垂直な同じ平面にあり、主軸線に対して同じ距離に配置されることを意味する。この場合、すべての軌道の共通の衝突点は、軌道と主軸線との交点に提供される。そのような実施形態では、ノズルは、合計で３つまたは４つのチャネルを示すことが好ましい。
【００４９】
そのような共通の衝突点は、例えばすべての個々の軌道が円錐台の表面に配置され、すべての軌道の交点が円錐台の仮想先端にある場合に得られ得る。噴出軌道が共通の平面にある場合、つまり、同一の角度を使用することによって二次元の設定にある場合、複数の衝突点が提供され得る。
【００５０】
別の実施形態によれば、やはりノズルの主軸線に関して、主軸線とチャネル出口開口部との間の横方向距離が同一である設定では、上記噴出角のうちの少なくとも１つ、好ましくは少なくとも２つが、異なる衝突点を提供できるようにその他の噴出角とは異なっている。円錐台の例を再度使用すると、４つの噴出チャネルを使用することにより、チャネルの第１の対は第１の衝突点を提供し、チャネルの第２の対は第２の衝突点を提供し、一方または両方が、円錐台の仮想先端から横方向にオフセットされる２つの衝突点を伴うノズルを提供することができる。この場合、すべての噴出角が（例えば、円錐台の）主軸線に対して同じというわけではない。随意的に、チャネルの第１の対に対応する２つの噴出軌道のそれぞれは第１の噴出角を示し、チャネルの第２の対に対応する２つの噴出軌道のそれぞれは第２の噴出角を示し、第１の噴出角は第２の噴出角と異なる。すべてのチャネルの出口開口部が主軸線の周りに（主軸線に対して同じ横方向距離で）対称に配置されている場合、そのような構成は、２つの衝突点、つまり、チャネルの第１の対に対応する２つの軌道の交点における主軸線との第１の衝突点と、チャネルの第２の対に対応する軌道の交点における主軸線との第２の衝突点とを有することになる。
【００５１】
対照的に、二次元構成では、異なる噴出角を選択することにより、すべての噴出軌道を同じ衝突点に向けることができる。チャネルは、ノズルを実質的に２つのミラーリング半体に分割する主軸線が存在する（「垂直」）平面が存在するように、対称的に配置されることが好ましい。各軌道について、衝突点における噴出軌道と主軸線との間の角度である衝突角は、１５°（鋭角）〜７５°（鈍角）の範囲であることが好ましく、３０°〜６０°の範囲がより好ましく、約４５°の角度も特に好ましいと考えられる。
【００５２】
一実施形態では、各々の衝突点が同じ噴出角を有する少なくとも２つの噴出軌道によって形成される少なくとも２つの衝突点が提供される。したがって、２つの噴出チャネルは第１の噴出角を有し、他の２つの噴出チャネルは第１の噴出角とは異なる第２の噴出角を有する。
【００５３】
別の実施形態では、噴出角は互いに異なるが、それぞれの噴出軌道は依然として交差しており、したがって１つの衝突点を提供する。これは、例えばノズル面が主軸線に対して傾斜している場合、またはノズル面が平面でない場合である。
【００５４】
３つ以上（および好ましくはすべて）の噴出チャネルによって供給される衝突点を備えた実施形態の１つの利点は、個々の噴出チャネルの断面を拡大する必要なく大量の液体を噴霧できることである。したがって、各チャネルの流体パラメータは、単に追加のチャネルを追加することにより、そのままにすることができる。
【００５５】
複数の衝突点を備えた実施形態の利点は、ある特定の状況下では、１箇所（＝衝突点）の液体濃度が高すぎると望ましくない大きな液滴の形成が促進され得るため、特に、より大量の液体が噴霧される場合、複数の衝突点を提供することにより、大きな液滴形成のリスクを場合によって低減できることである。１つの大きな衝突点を２つ（またはそれ以上）の小さな衝突点に分けることにより、個々の衝突点での噴霧に必要な液体の量は大幅に少なくなる。
【００５６】
また、複数の衝突点が提供される場合、これらのそれぞれに、衝突点間で異なる個々の液体の液体流を供給することができる。したがって、霧化段階が完了するまでこれらの液体の混合は行われず、このことは、互いに接触してはならない特定の液体にとって有利な場合がある。
【００５７】
別の実施形態によれば、ノズルの主軸線に沿って、少なくとも２つ、またはすべての衝突点が同じ垂直面内に、すなわち主軸線に対して垂直に配置される。このことは、各衝突点とノズルの前面との間の距離が本質的に同じであることを意味する。これは、個々の噴霧された液体（スプレー、霧）がほぼ同じサイズであり、同様の量として吸入される場合に有利である。
【００５８】
別の実施形態では、ノズルの主軸線に沿って、少なくとも２つまたはすべての衝突点が異なる垂直面上にある。このことは、ノズルの前面に対する少なくとも２つの衝突点の距離が異なることを意味する。
【００５９】
例えば、２つの衝突点が両方とも主軸線上にある場合、第１の液体から中央エアロゾル流れを生成するとともに、第２の液体のエアロゾルからなる周囲のシース流れを生成することができる。そのようなコアおよびシースの流れは、例えば流れの１つの成分（シース）が気管に分配され、別の成分（流れのコア）が細気管支に分配される場合に、吸入の目的で有利に使用され得る。
【００６０】
別の実施形態によれば、ノズルの主軸線に関して、すべての衝突点は主軸線上に位置する（対称配置）。このことは、複数の衝突点が存在する場合、それらが主軸線と交差する平行な平面内に位置することを意味する。同時に、主軸線の方向から見ると、１つの衝突点だけが見えている。
【００６１】
別の実施形態では、少なくとも１つの衝突点が主軸線から横方向にオフセットされる（非対称配置）。このことは、主軸線の方向から見ると、複数の衝突点が見えており、１つまたはすべての衝突点が主軸線から横方向にずれていることを意味する。衝突点は、異なる平面に配置されることもできるし、１つの共通平面に配置されることもできる。
【００６２】
一実施形態によれば、ノズルの噴出チャネルはすべて同じ断面を有する。そのような実施形態は、１つの液体のみ、または同様の物理的パラメータを有し、同等の量のいくつかの液体を霧化する場合に特に有用である。
【００６３】
別の実施形態では、ノズルの少なくとも１つの噴出チャネルまたは噴出チャネル対は、別の噴出チャネルまたは噴出チャネル対とは異なる断面を有する。つまり、個々のチャネルまたはチャネルのペアの断面は互いに異なる。このような設定は、物理パラメータが異なる２つ以上の液体を霧化する場合、および／または異なる量で霧化する場合に有利である。
【００６４】
複数の衝突点が提供される上記のすべての実施形態に関して、衝突点の好ましい総数は２つまたは３つであり、特に２つである。
【００６５】
一実施形態によれば、すべての衝突点に同じ液体を供給することができるように、ノズルのすべての噴出チャネルは同一のポンプ室または液体タイプのリザーバに接続される。このことは、噴出チャネルの数に関係なく、１つの液体のみがノズルによって霧化されることを意味する。さらにまた、すべてのチャネルについて液体のタイプが同じであるため、すべての噴出チャネルが同じ寸法であることが好ましい。
【００６６】
吸入装置に複数のポンプ室またはポンプユニットがある場合、すべてのポンプ室またはポンプユニットは同じリザーバ、または同じ液体タイプを保持するリザーバに接続される。
【００６７】
吸入装置にポンプ室が１つしかない場合、１つ以上のリザーバからポンプ室に液体を供給することができる。ポンプ室はまた、ノズルに液体が供給される前に、混合室としても機能する。
【００６８】
別の実施形態によれば、ノズルの少なくとも２つの噴出チャネルは、個別のポンプ室または液体リザーバに接続されており、そのため異なる液体（すなわち、組成が第１のまたは前述の液体とは異なる第２の液体）が供給され得る少なくとも１つの衝突点が提供される。したがって、このような構成は、同時に複数のエアロゾルを生成するのに役立つ。この場合、望ましくない混合を避けるために、各液体には独自のポンプ室が必要であることは明らかである。また、各ポンプ室を個別のリザーバに接続する必要があること、または少なくとも２つの異なる液体を霧化できるように、少なくとも２つのポンプ室を個別のリザーバに接続する必要があることも明らかである。
【００６９】
１つの液体のみが噴霧される場合であっても、複数のポンプ室および／またはリザーバを有する吸入装置が有利であり得ることに留意されたい。単一のポンプ室で圧力をかけることができる液体の量は制限される場合があり、したがって、ポンプ室の数を増やすことで、より多くの液体を霧化することができる。また、リザーバの形状を標準化することができる。したがって、そのような標準化されたリザーバを収容する１つの吸入装置は、個々の液体の混合物、および複数のリザーバから生じる同じ液体の「混合物」の生成に使用できる。さらに、異なる液体の混合比は、個々の液体で満たされた所望の数のリザーバを使用するだけで簡単に調整できる。例えば、１つの液体が医学的に活性な薬剤を含み、別の液体が溶媒または希釈剤であり、ハウジングが３つのリザーバを保持する場合、薬剤：希釈剤の比率は１：１（１つはダミーリザーバ）、１：２、または２：１が可能である。
【００７０】
別の実施形態では、ノズルの少なくとも２つの噴出チャネルが、チャネルの上流およびそれぞれのリザーバの下流に配置された共通の混合室に接続される。このような混合室は、ポンプ室とノズルとの間に配置された別個の容積が提供されるという点で、噴出チャネルに供給する前にいくつかの（おそらくは同一の）供給源からの液体を混合する目的を有する共通のポンプ室による前述の混合とは異なる。
【００７１】
一実施形態によれば、ノズルの少なくとも２つの噴出チャネルは、対（または３つ以上の噴出チャネルの場合はグループ）を形成し、共通の入口および交差する軌道を共有する。チャネルの対またはグループは、最も均一な霧化結果を得るために、同一の形状の２つ（または３つまたはそれ以上）のチャネルから構成されることが好ましい。対またはグループは、１つの衝突点でエアロゾルを生成する。複数の対が衝突点を共有するか、各対またはグループが独自の固有の衝突点を有する場合がある。これらの異なる衝突点は、同一の水平面または異なる水平面に配置されてもよい。
【００７２】
別の実施形態では、ノズルのすべての噴出チャネルは個別の入口を有する。したがって、対はチャネルを流れる同一の液体によって特徴付けられるため、噴出チャネルは対を形成しない。ただし、１つ以上の衝突点が提供されるように、それらは依然として互いに交差する噴出軌道を有し得る。
【００７３】
ノズルの２つの噴出チャネルが対を形成する一実施形態によれば、第１の噴出チャネルの上流端に１つの主供給チャネルが接続するように配置されるとともに、上記主供給チャネルを第２の噴出チャネルの上流端に接続する交差チャネルが存在する。主供給チャネルの上流端は、直接的にまたはポンプユニットを介して間接的に液体リザーバに接続される。このような構造は、すべてのチャネルが同じ平面に配置されている二次元構成で実現することが好ましい。
【００７４】
交差チャネルは、上記主供給チャネルに対して垂直方向を有してもよく、したがって、可能な限り最短の流体接続が提供される。交差チャンネルは、主軸に垂直な平面にあるアーチ型の経路など、別の経路をたどることもできる。交差チャネルは、それぞれの対の噴出チャネルが位置する平面に対してオフセットすることもできるが、いずれの場合でも、交差チャネルと対応する噴出チャネルとの間に流体接続を提供する必要があることは明らかである。
【００７５】
対の２つの噴出チャネルが主軸線に対して反対側に配置され、交差チャネルが対の２つの噴出チャネルを接続するため、この対には１つの（共通）主供給チャネルだけで十分である。したがって、ポンプ室に結合する必要がある入口開口部は１つだけである。このようにして、１対のノズルを上流に配置された構成要素に接続するのに必要な面積の量に関して空間を節約する解決策が提供される。
【００７６】
２対などの複数の対を有するノズルを備えた吸入装置の一実施形態では、（回転）対称軸も形成する主軸線に関して、第１の対の噴出チャネルの出口開口部が、第２の対の噴出チャネルの出口開口部に対して例えば６０°（または３６０°の別の整数因子）の回転位置にあり、それぞれの交差チャネルは、上記対称軸に沿って、互いに交差しないように互いに間隔を空けている。言い換えれば、前述の交差チャネル構成は、例えば二重にまたは三重に数回繰り返され、一対の噴出チャネル、対応する交差チャネル、および主供給チャネルを含むそれぞれのユニットを主軸線の周りに回転させることにより、互いに離れて配置される。個々の交差チャネルが主軸線に沿って異なる平面に配置されている場合、それらは互いに交差しない。その結果、ノズル本体と液体を供給する構成要素との間の界面に配置された円形経路上にある、異なる対（したがって異なる液体）の入口開口部のタレットのような配置になる。
【００７７】
別の実施形態によれば、ノズルは、前面と、前面の反対側の背面とを示す。装置が操作されるときに使用者に向けられた装置の面である前面は、噴出チャネルの出口開口部を含む。装置の内部に面するノズルの背面または後面は、本質的に平坦であり、主供給チャネルへの入口を形成する複数の開口部を含む。
【００７８】
好ましくは、ノズルの背面に接続する装置構成要素は、供給開口部を有する対応する表面を提供し、その結果、上記装置構成要素の各供給開口部は、ノズルの入口開口部に接続する。言い換えれば、ノズルとノズルに供給する構成要素、例えばポンプ室の出口側との間の界面は、単純な平らなガスケットで十分であるように設計されている。このようなガスケットは、適切な位置に穴がある弾性材料の平らなシートから本質的に構成されている。
【００７９】
このような構造の利点は、流体接続を安全かつ簡単に確立できること、ならびにシールおよび界面表面を提供するコストが低いことである。
【００８０】
いくつかの実施形態では、ノズルは、比較的平坦なプレートの積み重ねとして構築される。そのようなプレートは、好ましくは、エッチングなどの材料除去技術によって製造することができる。シリコン、ガラス、金属、セラミック、またはプラスチックなどのさまざまな材料のウェーハが半製品を形成し得る。チャネルは、基板の２つの平坦な側面のいずれか、または両側に導入される。次に、そのようなプレートのいくつかを積み重ねることにより、複数の噴出チャネル対を提供するノズルの積み重ねを製造することができる。
【００８１】
他の実施形態では、ノズルは三次元回転対称の基本形状から構築される。このような基本形状は、円錐形、円柱形、またはピラミッド形であり得る。通常、基本形状の回転軸線または対称軸線は、完成したノズルの主軸線と一致する。
【００８２】
好ましくは、吸入装置は、２つ（またはそれ以上）の液体を噴出するように構成および適合されている。
【００８３】
したがって、ノズルには少なくとも２つの噴出チャネルがあり、これらのチャネルには２つ（またはそれ以上）の異なる液体を供給することができ、つまり、各チャネルは別のチャネルに供給される液体とは異なる液体を受け取るか、これらの異なる液体が順に供給される共通の混合室から供給される。したがって、２つ（またはそれ以上）の液体の噴出が可能である。
【００８４】
これを達成するために、前記噴出チャネルまたは前記混合室は、上流に配置された個々のポンプユニットのそれぞれのポンプ室、または１つの共通のポンプユニットに統合された個々の内部容積（ポンプ室）のいずれかに接続される。
【００８５】
言い換えれば、吸入装置は、それぞれが好ましくは１つの液体の噴出に役立つ複数の個別のポンプユニットのいずれかを含み得るか、またはポテンシャルエネルギーを貯蔵するための１つの手段（例：圧力ばね）のみに好ましくは接続される１つの主ポンプユニット（主ポンプ本体）に統合された複数のポンプ室を備えた構造が提供される。統合された各ポンプ室は、個別の液体リザーバに接続され得る。後者の実施形態は、より統合された、したがってより小さい解決策を提供する。
【００８６】
一実施形態によれば、少なくとも１つのリザーバは、ポンプ室にしっかりと取り付けられ、したがって、ハウジング内で移動可能である。これは、各噴出サイクルで、少なくとも１つのリザーバが少なくとも１つのポンプ室と一緒に、ポンプ室が最大内部容積を持つ初期位置から、最小内部容積の最終位置まで移動し、そして最終的に最初の位置に戻ることを意味する。本明細書で使用される場合、「しっかりと取り付けられた」という表現は、永続的および非永続的（すなわち解放可能な）形式の両方の取り付けを含む。この構造の利点の１つは、リザーバとポンプ室との間に可能な限り小さな死容積を提供することである。
【００８７】
別の実施形態によれば、少なくとも１つのリザーバは、例えばホースのような１つ（または複数の）可撓性要素によって少なくとも１つのポンプ室に接続され、ハウジングにしっかりと取り付けられている。したがって、この実施形態によれば、リザーバはポンプ室と一緒に移動するのではなく、ハウジングにしっかりと（しかし、典型的には取り外し可能に）取り付けられる。この構造の利点の１つは、ポテンシャルエネルギーの貯蔵手段のロックを解除すると突然放出されるエネルギーが、それを加速するポンプ室のみに作用し、通常は（そして特にその使用開始時に）比較的大きな質量を有し得るリザーバには作用しないことである。ポンプ室の加速度が高くなるため、圧力が高くなる。
【図面の簡単な説明】
【００８８】
【図１】本発明による吸入装置の主要な構成要素を示す図である。
【図２】図１のものと同様だが、随意的な出口弁はない、装置を示す図である。
【図３】最初にポンプ室を満たす前の図１の実施形態を示す図である。
【図４】最初の起動中の状況を示す図である。
【図５】最初の起動の終了時の状況を示す図である。
【図６】ポンプ室を再充填した後の状況を示す図である。
【図７】第１の実施形態によるノズルを示す図である。
【図８】第１の実施形態によるノズルの詳細を示す図である。
【図９】第２の実施形態によるノズルを示す図である。
【図１０】第３の実施形態によるノズルを示す図である。
【図１１】第３の実施形態によるノズルの詳細を示す図である。
【図１２】第４の実施形態によるノズルを示す図である。
【図１３】第５の実施形態によるノズルを示す図である。
【図１４】第５の実施形態によるノズルの断面を示す図である。
【図１５】第５の実施形態によるノズルの断面を示す図である。
【図１６】第５の実施形態によるノズルの断面を示す図である。
【図１７】この実施形態の三次元図である。
【発明を実施するための形態】
【００８９】
図１において、本発明による吸入装置の主要な構成要素は、概略的であり、縮尺通りではない、最初の使用前の状況が図示されている。
【００９０】
吸入装置は、ハウジング１を備え、ハウジング１は、片手で保持でき、１本の指、例えば親指（図示せず）で操作できるような形状および寸法であることが好ましい。ハウジング１の内部には、医学的に活性な液体Ｆ１、Ｆ２のそれぞれの貯蔵のための２つのリザーバ２Ａ、２Ｂが配置されている。図示されたリザーバ２Ａ、２Ｂは、折りたたみ式に設計されており、つまり、空にする作業中に、弾性壁または少なくとも柔軟な壁が曲がり、一定量の液体Ｆ１、Ｆ２の抽出に必要な負圧が増加しないか、ほとんど増加しないことを意味する。剛性容器が可動底部を有し、それによりそれぞれのリザーバの内部容積も連続的に減少させることができる場合（図示せず）、同様の効果を達成することができる。
【００９１】
さらに、吸入装置は、液体Ｆ１、Ｆ２を放出し、それを噴霧するのに必要な所望の圧力を生成するために、ハウジング１内に２つのポンプ室３Ａ、３Ｂを備えたポンプユニットを備えている。ポンプユニットは、図示されていない追加の構成要素（プッシュボタン、ロック装置など）を含むこともできる。
【００９２】
ポンプ室３Ａ、３Ｂは、本実施例に示されるように、別個のポンプユニット内に存在してもよく、または単一のポンプユニット（図示せず）に統合されて存在してもよい。
【００９３】
ポンプ室３Ａ、３Ｂは、それぞれの入口逆止弁４Ａ、４Ｂによってリザーバ２Ａ、２Ｂと流体接続されている。逆止弁４Ａ、４Ｂは、液体Ｆ１、Ｆ２のそれぞれのポンプ室３Ａ、３Ｂへの流入を可能にし、図示されていないロック機構の解放時にリザーバ２Ａ、２Ｂへの液体Ｆ１、Ｆ２の逆流をブロックするのに役立つ。
【００９４】
ポテンシャルエネルギーの貯蔵手段７として、ポンプ室３Ａ、３Ｂの一端（上向き）に結合され、ハウジング１（図の下部）で支持されるばねが設けられている。
【００９５】
吸入装置はさらに、上記ポンプ室３Ａ、３Ｂに受け取られ得る少なくとも１つのそれぞれのリザーバに面する内端５Ａ’、５Ｂ’を備えた２つのライザーパイプ５Ａ、５Ｂを備えている。言い換えれば、ライザーパイプ５Ａ、５Ｂは、ポンプ室３Ａ、３Ｂに少なくとも部分的に押し込むことができ、その結果、ポンプ室３Ａ、３Ｂの内部容積が減少する。「内部容積」という用語は、ポンプ室３Ａ、３Ｂのリザーバに面する入口から、ライザーパイプ５Ａ、５Ｂの内端５Ａ’、５Ｂ’が位置する場所まで延びる容積を表す。描かれた状況では、ライザーパイプ５Ａ、５Ｂは、ほぼ完全にそれぞれのポンプ室３Ａ、３Ｂに含有されている。その結果、逆止弁４Ａ、４Ｂとライザーパイプ５Ａ、５Ｂの内端５Ａ’、５Ｂ’との間に位置するそれぞれの内部容積は最小である。
【００９６】
好ましくは、ライザーパイプの受け入れに役立つ部分において、ポンプ室３Ａ、３Ｂは、ライザーパイプ部分の（そしてまた）円形外側断面に対応する円形内側断面を有する部分を有する。もちろん、他の断面形状も可能である。
【００９７】
図示の実施形態によれば、逆止弁４Ａ、４Ｂは、リザーバ２Ａ、２Ｂとポンプ室３Ａ、３Ｂの入口との間に配置されている。
【００９８】
さらに、吸入装置は、ライザーパイプ５Ａ、５Ｂのそれぞれの外端５Ａ’’、５Ｂ’’に液密に接続されたノズル６を備えている。ノズル６は、２つの衝突する液体ジェットの原理を使用して、液体の噴霧／霧化に適している。一例として示されているノズル６は、２つの噴出チャネル６Ａ、６Ｂを備えている。同時に、ノズルの２つの噴出チャネル６Ａ、６Ｂのそれぞれは、個別のポンプ室３Ａ、３Ｂに接続されているため、液体リザーバ２Ａ、２Ｂに接続され、異なる液体が供給され得る衝突点が提供される。望ましくない混合を避けるために、各液体Ｆ１、Ｆ２は独自のポンプ室３Ａ、３Ｂを有する。
【００９９】
好ましくは、液体含有チャネルの断面は比較的小さく、典型的にはミクロンの領域にある。この例では、主軸線Ｚ（破線）に対する噴出チャネル６Ａ、６Ｂの角度は、それらの噴出軌道（点線）が１つの共通の衝突点Ｘで交差するようになっている。
【０１００】
また、外部から液体または空気がその外端５Ａ’’、５Ｂ’’に流入するのを防ぐためのライザーパイプ５Ａ、５Ｂ内部の随意的な出口弁８Ａ、８Ｂも示されている。出口弁８Ａ、８Ｂは、ライザーパイプ５Ａ、５Ｂの内端５Ａ’、５Ｂ’に配置されている。液体Ｆ１、Ｆ２は、ノズル６の方向に出口弁８Ａ、８Ｂを通過できるが、出口弁８Ａ、８Ｂは反対方向の望ましくない逆流をブロックする。
【０１０１】
図１からわかるように、ライザーパイプ５Ａ、５Ｂはハウジング１との外端５Ａ’’、５Ｂ’’の領域での接続によって示されているように、ハウジング１に動かないようにしっかりと取り付けられるように設計されている。ライザーパイプ５Ａ、５Ｂはまた、ノズル６にしっかりと取り付けられており、ノズル６もハウジング１に取り付けられている。対照的に、ポンプ室３Ａ、３Ｂは、ハウジング１およびノズル６に対して移動可能に設計されている。この設計の利点はすでに説明されており、上記の各部分を参照されたい。
【０１０２】
図２を参照すると、図１のものと同様の装置が示されている。しかしながら、図２に示される実施形態は、（随意的な）出口弁８Ａ、８Ｂを欠いている。他のすべての実質的な構成要素は存在し、機能も同等である。
【０１０３】
明確にするために以前に紹介した参照番号のいくつかを省略した図３は、ポンプ室３Ａ、３Ｂを最初に充填する直前の図１の実施形態を示している。ポンプ室３Ａ、３Ｂが引き下げられ、ポテンシャルエネルギーの貯蔵手段７がロードされる。出口弁８Ａ、８Ｂは、ポンプ室３Ａ、３Ｂ内の負圧により閉じられ、逆止弁４Ａ、４Ｂはリザーバ２Ａ、２Ｂに対して開いている。リザーバ２Ａ、２Ｂの壁の折りたたみにより、その内部圧力はほぼ一定に保たれるが、ポンプ室３Ａ、３Ｂを上昇運動によりライザーパイプ５Ａ、５Ｂから引き離しているため、ポンプ室３Ａ、３Ｂ内の圧力は低下し、ポンプ室３Ａ、３Ｂのそれぞれの内部容積が増加する。
結果として、ポンプ室３Ａ、３Ｂのそれぞれの内部容積は、リザーバ２Ａ、２Ｂからの液体Ｆ１、Ｆ２で満たされる。
【０１０４】
図４では、吸入装置の第１の起動中の状況が示されている。ポテンシャルエネルギーの貯蔵手段７は、図３に示すように、負荷位置から解放されている。ポテンシャルエネルギーの貯蔵手段７は、ポンプ室３Ａ、３Ｂを備えるポンプユニットをライザーパイプ５Ａ、５Ｂに押し込み、ライザーパイプ５Ａ、５Ｂの内端５Ａ’、５Ｂ’は、閉じられている逆止弁４Ａ、４Ｂに接近する。その結果、ポンプ室３Ａ、３Ｂ内の圧力は上昇し、バルブ４Ａ、４Ｂを閉じたままにするが、出口弁８Ａ、８Ｂを開く。液体Ｆ１、Ｆ２は、ライザーパイプ５Ａ、５Ｂの内部で、その外端５Ａ’’、５Ｂ’’、およびノズル６に向かって上昇する。
【０１０５】
図５は、最初の起動の終了時の状況を示す図である。ポテンシャルエネルギーの貯蔵手段７は、最も弛緩した位置（ばねが完全に伸びている）にある。また、ポンプ室３Ａ、３Ｂは、ポンプ室３Ａ、３Ｂのそれぞれの内部容積がその最小値に達するように、ほぼ完全に一致してライザーパイプ５Ａ、５Ｂ上に押し込まれている。ポンプ室３Ａ、３Ｂ内に以前に含有されていた液体Ｆ１、Ｆ２の大部分は、出口弁８Ａ、８Ｂを通ってライザーパイプ５Ａ、５Ｂ内に流入している。ライザーパイプ５Ａ、５Ｂ内にすでに含有されている液体Ｆ１、Ｆ２は、ノズル６の噴出チャネル６Ａおよび６Ｂに向かって押し出されているが、そこを通過し、そこでは所望の噴霧が行われ、共通の衝突点Ｘでスプレーが生成される。
【０１０６】
図６では、ポンプ室３Ａ、３Ｂを再充填した後の状況が描かれている。ポンプ室３Ａ、３Ｂは、ライザーパイプ５Ａ、５Ｂの内端５Ａ’、５Ｂ’から再び引き出され、ポンプ室３Ａ、３Ｂのそれぞれの内部容積が増加する。ポテンシャルエネルギーの貯蔵手段７がロード（ばね圧縮）されている。ポンプ室３Ａ、３Ｂがライザーパイプ５Ａ、５Ｂから離れて移動する間に、内部容積に負圧が発生し、出口弁８Ａ、８Ｂを閉じ、逆止弁４Ａ、４Ｂを開く。その結果、リザーバ２Ａ、２Ｂからポンプ室３Ａ、３Ｂに新しい液体Ｆ１、Ｆ２が引き込まれる。吸入装置のポンプ室３Ａ、３Ｂが再び満たされ、ばねを放すことにより、液体Ｆ１、Ｆ２の次の噴出の準備が整う。
【０１０７】
図７では、３つの噴出チャネル６Ａ、６Ｂ、６Ｃを含むノズル６が示されている。噴出軌道（点線）は、１つの共通の衝突点Ｘで交差する。この衝突点は、主軸線Ｚに対して垂直方向を持つ平面Ｐ内に位置する（これが、異なる旨の明記がない限り、この文書全体を通じて衝突点が存在する平面の共通の方向である）。すべてのチャネル６Ａ、６Ｂ、６Ｃは、主軸線Ｚの周りに対称的かつ三次元的に配置されている。ここで定義されている噴出角（ノズルチップの詳細図である図８にもプロットされており、角度Ａ１、Ａ２のみが示されている）は同一である。中間角Ｉが測定される線が主軸線であり、したがって、中間角は衝突角である。この例では、円錐台の表面に個々の軌跡のすべてが配置されている。この例では、円錐台の表面６’は底面円（参照番号なし）に平行であるため、両方の位置で測定された角度Ａ１、Ａ２は同一である。好ましくは、チャネル６Ａ、６Ｂ、６Ｃは、液体（図示せず）がチャネルを通過できるが、望ましくない（横）方向には出ることができないように蓋（図示せず）などのクロージャで（横方向に）閉じられる。これは、例えば円錐形状のキャップ（図示せず）の内側に円錐台を配置して、壁がチャネルの蓋を形成することにより達成され得る。チャネルは、図示のように円錐台の表面に製造できるが、キャップの表面に溝として製造することもできる。
【０１０８】
両方のタイプは、互いに組み合わせることができ、その場合、チャネルは円錐と開口部とで交互に提供されるか、関連する半チャネルが円錐と開口部とで提供される。
【０１０９】
図９では、ノズル６の断面図が示されており、ここでも、ノズル６の主軸線Ｚに関して、すべての噴出角Ａが同一であり（１つの参照符号Ａのみがプロットされている）、したがって、すべての中間角も同一であり、それらはすべて主軸線Ｚに対して測定される。ただし、噴出チャネル６Ａ〜６Ｄは共通の断面（ハッチングは省略）にあり、異なる衝突点Ｘ１、Ｘ２が提供されている。これらは、主軸線Ｚに垂直な異なる平面Ｐ１、Ｐ２に位置し、つまり、衝突点Ｘ１およびＸ２は、ノズル６の前面６’までの距離が異なる。同時に、すべての衝突点Ｘ１、Ｘ２は主軸線Ｚ上にある。噴出チャネル６Ａおよび６Ｂは第１の対を形成し、噴出チャネル６Ｃおよび６Ｄは第２の対を形成する。この例では、ノズル６は「二次元」ブロックとして構成されている。
【０１１０】
本実施例は、第１の液体のエアロゾルの中央流れ（図示せず）、および第２の液体のエアロゾルの周囲のシース流れを生成するために使用され得る。
【０１１１】
図１０には、噴出チャネル６Ａ〜６Ｄが円錐台の表面に再び配置されている実施形態が示されている。この構成では、噴出チャネル６Ａ、６Ｂの第１の対の噴出角Ａ１、Ａ１’は、噴出チャネル６Ｃ、６Ｄの第２の対の噴出角Ａ２、Ａ２’に対応する。ただし、この構成では、噴出オフセットにより、２つの異なる衝突点Ｘ１およびＸ２が生じる。図１１は、ノズルの先端の詳細である。円錐の底面円は円錐台の表面６’に平行であるため、図１０の角度Ａ１、Ａ２は図１１と同じであることに留意されたい。
【０１１２】
例えば、図１０からわかるように、チャネル６Ｂの軌道は主軸線Ｚから一方向、すなわち角度Ａ１’’の方向にわずかに傾いているが、チャネル６Ｄの軌道は反対方向、すなわち角度Ａ２’’の方向に傾いている。また、（現在同様の）角度Ａ１およびＡ２は、細い破線から始まる角度Ａ１＊およびＡ２＊よりもわずかに小さい。これらは、円錐の底面円で始まり、その想像上の先端で終わる線を表し、細い破線に沿ったチャネルも同じ角度Ａ１、Ａ２（およびＡ１’、Ａ２’、Ａ１’’、Ａ２’’）を持つが、１つの共通の衝突点も生じる。したがって、この例では、２組の噴出チャネル６Ａ、６Ｂおよび６Ｃ、６Ｄが提供され、すべて同じ噴出角Ａ１、Ａ２、Ａ１’、Ａ２’（図１１を参照）を有するため、前の例のように、２つの衝突点Ｘ１、Ｘ２が提供される。前述の角度の配置の結果として横方向の噴出オフセットＤが存在する。この実施形態では、すべての衝突点Ｘ１、Ｘ２が、ノズルの主軸線Ｚに沿って、ノズル６の前面６’に対して同じ平面（図示せず）内に位置する。同時に、すべての衝突点Ｘ１、Ｘ２は、主軸線Ｚから横方向にオフセットして配置される（横方向の噴出オフセットＤ）。
【０１１３】
図１２は、４つの噴出チャネル６Ａ〜６Ｄを有するノズル６を示しており、その噴出軌道は、対ごとに異なる噴出角（Ａ１およびＡ１’が同様、Ａ２およびＡ２’も同様）を有し、噴出チャネル（および軌道）は、共通の平面（ハッチングされた断面）内にある。ノズル６も「二次元」ブロックタイプである。角度Ａ１、Ａ１’、Ａ２、Ａ２’は、すべての噴出軌道（点線）が１つの共通の衝突点Ｘで交差するように配置されている。
【０１１４】
図１３では、ノズルの別の実施形態の透過上面図が示されている。さらなる詳細については、同じ実施形態に関する以下の図１２〜図１５の説明を参照されたい。
【０１１５】
図１４および図１５には、図１１のノズル６の２つの断面Ａ−ＡおよびＢ−Ｂが示されており（ハッチングは省略）、噴出チャネル６Ａ、６Ｂおよび６Ｃ、６Ｄは、上流に配置された共通の分割室９Ａ、９Ｂに接続されている。したがって、ポンプ室（図示せず）と噴出チャネル６Ａ、６Ｂ／６Ｃ、６Ｄとの間に配置され、噴出チャネル６Ａ、６Ｂ／６Ｃ、６Ｄに供給する前にノズルに（随意的にいくつかの供給源から）供給される液体を分割する目的を有する別個の室または容積が提供される。
【０１１６】
図示された実施形態では、ノズル６の２つの噴出チャネル６Ａおよび６Ｂ、ならびに６Ｃおよび６Ｄがそれぞれ対を形成し、第１の噴出チャネル６Ａ、６Ｃの始まりと接続するように１つの主供給チャネル１０Ａ、１０Ｂが配置され、上記主供給チャネル１０Ａ、１０Ｂをそれぞれの第２の噴出チャネル６Ａ、６Ｃの端部に接続する交差チャネル１１Ａ、１１Ｂが存在する。分割室９Ａ、９Ｂとして機能する交差チャネル１１Ａ、１１Ｂは、主供給チャネル１０Ａ、１０Ｂに対して垂直に延びている。ポンプ室またはポンプユニット（図示せず）に結合しなければならないそれぞれ１つの入口開口部１２Ａ、１２Ｂのみが存在する。
【０１１７】
描かれた実施形態では、対称軸をも形成する主軸線Ｚ（図示せず）に関して最初に重なり合う噴出チャネルの対は、互いに対して例えば６０°（または３６０°の別の整数因子）の回転位置にあり、それぞれの交差チャネル１１Ａ、１１Ｂは、上記対称軸に沿って、互いに交差しないように、互いに離間している。
【０１１８】
透過側面図である図１６では、軸方向に離れたすべての主要な交差チャネル（参照番号が省略された第３の交差チャネル）がよく見えるように、隠線を含有する断面が描かれている。視線方向のために、噴出チャネルは２対しか見えない。
【０１１９】
前述の設計は、図１４および図１５の断面を含有するノズル６の三次元透過図である図１７にも見ることができる。断面を仮想的に回転させることにより、入口開口部（参照番号は省略）が円形の経路（一点鎖線の円）上にあるコンパクトで単純なノズルが得られる。したがって、上流に配置された構成要素（すなわち、ポンプ室、バルブ部、図示せず）に対するそれぞれの界面は、比較的単純になるように設計され得る。
【符号の説明】
【０１２０】
１  ハウジング
２、２Ａ、２Ｂ  リザーバ
３、３Ａ、３Ｂ  ポンプ室
４、４Ａ、４Ｂ  逆止弁
５、５Ａ、５Ｂ  ライザーパイプ
５Ａ’、５Ｂ’  内端
５Ａ”、５Ｂ”  外端
６  ノズル
６’  前面
６Ａ−６Ｄ  噴出チャネル
７  ポテンシャルエネルギーの貯蔵手段
８、８Ａ、８Ｂ  出口弁
９Ａ、９Ｂ  分割室
１０、１０Ａ、１０Ｂ  主供給チャネル
１１、１１Ａ、１１Ｂ  交差チャネル
１２、１２Ａ、１２Ｂ  入口開口部
Ｆ、Ｆ１、Ｆ２  液体
Ｘ、Ｘ１、Ｘ２  衝突点
Ａ、Ａ１、Ａ２  噴出角
Ａ１＊、Ａ２＊、Ａ１’、Ａ２’、Ａ１’’、Ａ２’’  角度
Ｉ  中間角
Ｚ  主軸線
Ｄ  噴出オフセット
Ｐ、Ｐ１、Ｐ２  平面
【図１】
2020524541.tif 000003
【図２】
2020524541.tif 000004
【図３】
2020524541.tif 000005
【図４】
2020524541.tif 000006
【図５】
2020524541.tif 000007
【図６】
2020524541.tif 000008
【図７】
2020524541.tif 000009
【図８】
2020524541.tif 000010
【図９】
2020524541.tif 000011
【図１０】
2020524541.tif 000012
【図１１】
2020524541.tif 000013
【図１２】
2020524541.tif 000014
【図１３】
2020524541.tif 000015
【図１４】
2020524541.tif 000016
【図１５】
2020524541.tif 000017
【図１６】
2020524541.tif 000018
【図１７】
2020524541.tif 000019
【国際調査報告】
2020524541.tif 000020
2020524541.tif 000021
2020524541.tif 000022